(57)【特許請求の範囲】
【請求項１】
ユーザが保有する携帯型の内線通話可能な電話機における呼び出し開始後の通話開始履歴を取得する取得部と、
前記電話機の前記呼び出し開始後の通話開始履歴に基づいて前記ユーザの前記電話機の携帯率を算出し、当該携帯率を、前記電話機の充電に用いる充電器の通電状態から推定される前記ユーザの在席情報の、信頼度とする処理部と、を備える在席信頼度生成装置。
【請求項２】
前記処理部は、前記電話機において呼び出し開始後に通話が開始された場合、前記ユーザが前記電話機を携帯していると推定し、前記電話機において呼び出し開始後に通話が開始されなかった場合、前記ユーザが前記電話機を携帯していないと推定して、前記ユーザの前記電話機の携帯率を算出することを特徴とする請求項１に記載の在席信頼度生成装置。
【請求項３】
前記取得部は、前記充電器の通電状態を更に取得し、
前記処理部は、前記呼び出し時における前記充電器の通電状態が通電中であり、かつ前記呼び出し開始後所定時間経過した後に通話が開始された場合には、前記ユーザが前記電話機を携帯していないと推定して、前記ユーザの前記電話機の携帯率を算出することを特徴とする請求項２に記載の在席信頼度生成装置。
【請求項４】
請求項１〜３のいずれか一項に記載の在席信頼度生成装置と、
前記充電器の通電状態を管理する通電状態管理装置と、
前記在席信頼度生成装置で生成される前記ユーザの在席情報の信頼度と、前記通電状態管理装置で管理されている前記充電器の通電状態から推定される前記ユーザの在席情報と、を管理するユーザ情報管理装置と、
を備える在席管理システム。
【請求項５】
前記通電状態管理装置は、前記充電器の通電状態を、予め定められた電源タップの通電状態から取得して管理することを特徴とする請求項４に記載の在席管理システム。
【請求項６】
前記通電状態管理装置は、前記充電器の通電状態を、前記電話機から取得して管理することを特徴とする請求項４に記載の在席管理システム。
【請求項７】
前記ユーザの在席情報を表示するとともに、当該ユーザの在席情報の信頼度を表示する表示装置を更に備える請求項４〜６のいずれか一項に記載の在席管理システム。
【請求項８】
ユーザが保有する携帯型の内線通話可能な電話機における呼び出し開始後の通話開始履歴を取得し、
前記電話機の前記呼び出し開始後の通話開始履歴に基づいて前記ユーザの前記電話機の携帯率を算出し、当該携帯率を、前記電話機の充電に用いる充電器の通電状態から推定される前記ユーザの在席情報の、信頼度とする、処理を、
コンピュータに実行させる在席信頼度生成プログラム。
【発明の詳細な説明】
【技術分野】
【０００１】
本件は、在席信頼度生成装置及び在席信頼度生成プログラム、並びに在席管理システムに関する。
【背景技術】
【０００２】
最近では、地球温暖化対策のため、省エネルギー化・省電力化がこれまで以上に重要になってきている。特にオフィスの省電力化は遅れているため、オフィスの省電力化が急務となっている。
【０００３】
オフィスの省電力化を進めるためには、ワークスタイルを変革し効率化を図ることが望ましい。その１つの方法として、携帯型の内線通話可能な電話機（以下、「携帯内線電話」と呼ぶ）を利用することによりコミュニケーションの円滑化を図る方法がある。また、内線電話の使い勝手を向上することを目的とした技術として、特許文献１のような技術がある。特許文献１の技術は、コードレス子機が充電中でない場合（コードレス子機がユーザによって携帯されている場合）に、着信をコードレス子機に自動的に転送するというものである。
【０００４】
携帯内線電話を用いたり、上記特許文献１を応用したりすることでオフィス内におけるコミュニケーションが取りやすくなる。一方、例えば書類に押印してもらいたい場合など、わざわざ携帯内線電話を使って相手の在席を確認するまでもなく、パソコンのディスプレイ等において相手の在席状況を確認したい場合もある。
【０００５】
これに対し、最近では、携帯内線電話を利用した在席管理装置が検討されている。この在席管理装置では、ユーザが席にいるときには充電スタンド（充電器）に携帯内線電話をセットし、離席するときには充電スタンドから携帯内線電話を取り出す、という習慣があると仮定して、携帯内線電話の充電状態の情報からユーザが在席しているか否かを判断する。
【先行技術文献】
【特許文献】
【０００６】
【特許文献１】特開平７−２４０９５１号公報
【発明の概要】
【発明が解決しようとする課題】
【０００７】
しかしながら、離席するときに、ユーザ全員が携帯内線電話を携帯するとは限らない。このため、在席管理装置の管理する情報の信頼度が下がり、結果として誰も在席管理装置の情報を活用しなくなるおそれがある。
【０００８】
その一方で、ユーザ全員に携帯内線電話を携帯するように強制したとしても、守られるとは限らない。更に、強制されるとユーザによっては士気が低下するおそれがあるため過度な強制は得策ではない。
【０００９】
そこで本件は上記の課題に鑑みてなされたものであり、在席情報の信頼度を適切に生成することが可能な在席信頼度生成装置及び在席信頼度生成プログラムを提供することを目的とする。また、本件は、適切な在席管理が可能な在席管理システムを提供することを目的とする。
【課題を解決するための手段】
【００１０】
本明細書に記載の在席信頼度生成装置は、ユーザが保有する携帯型の内線通話可能な電話機における呼び出し開始後の通話開始履歴を取得する取得部と、前記電話機の前記呼び出し開始後の通話開始履歴に基づいて前記ユーザの前記電話機の携帯率を算出し、当該携帯率を、前記電話機の充電に用いる充電器の通電状態から推定される前記ユーザの在席情報の、信頼度とする処理部と、を備えている。
【００１１】
本明細書に記載の在席管理システムは、本明細書に記載の在席信頼度生成装置と、充電器の通電状態を管理する通電状態管理装置と、前記在席信頼度生成装置で生成される前記ユーザの在席情報の信頼度と、前記通電状態管理装置で管理されている前記充電器の通電状態から推定される前記ユーザの在席情報と、を管理するユーザ情報管理装置と、を備える在席管理システムである。
【００１２】
本明細書に記載の在席信頼度生成プログラムは、ユーザが保有する携帯型の内線通話可能な電話機における呼び出し開始後の通話開始履歴を取得し、前記電話機の前記呼び出し開始後の通話開始履歴に基づいて前記ユーザの前記電話機の携帯率を算出し、当該携帯率を、前記電話機の充電に用いる充電器の通電状態から推定される前記ユーザの在席情報の、信頼度とする、処理を、コンピュータに実行させる在席信頼度生成プログラムである。
【発明の効果】
【００１３】
本明細書に記載の在席信頼度生成装置及び在席信頼度生成プログラムは、在席情報の信頼度を適切に生成することができるという効果を奏する。また、本明細書に記載の在席管理システムは、適切な在席管理ができるという効果を奏する。
【図面の簡単な説明】
【００１４】
【図１】一実施形態に係る在席管理システムの構成を示すブロック図である。
【図２】在席信頼度生成サーバのハードウェア構成図である。
【図３】在席信頼度生成サーバの機能ブロック図である。
【図４】図４（ａ）は、携帯率管理表を示す図であり、図４（ｂ）は、電番／コンセント対応表を示す図である。
【図５】ユーザ端末の表示部における表示例を示す図である。
【図６】在席信頼度生成サーバの処理を示すフローチャートである。
【図７】図６の処理の流れを模式的に示す図である。
【図８】変形例における図７に対応する図である。
【図９】変形例における充電状態管理表を示す図である。
【図１０】変形例において携帯内線電話の処理装置が行う処理を示すフローチャートである。
【図１１】変形例における在席信頼度生成サーバの処理を示すフローチャートである。
【発明を実施するための形態】
【００１５】
以下、一実施形態について、図１〜図７に基づいて詳細に説明する。図１には、在席管理システム１００の構成がブロック図にて示されている。在席管理システム１００は、携帯型の内線通話可能な電話機（携帯内線電話）を保有するユーザの在席情報を管理するシステムである。
【００１６】
在席管理システム１００は、図１に示すように、在席信頼度生成装置としての在席信頼度生成サーバ１０と、ユーザ情報管理装置としてのプレゼンスサーバ２０と、内線電話サーバ３０と、通電状態管理装置４０と、表示装置としてのユーザ端末５０と、を備える。これら各装置は、ＬＡＮ（Local Area Network）などのネットワークに接続されている。また、在席管理システム１００は、内線電話サーバ３０に無線接続された複数の携帯型の内線通話可能な電話機（以下、単に「携帯内線電話」と呼ぶ）３２と、通電状態管理装置４０に接続された複数の電源タップ４２と、を備える。電源タップ４２が有するコンセントには、携帯内線電話３２を充電するための充電器４４が接続されている。
【００１７】
在席信頼度生成サーバ１０は、携帯内線電話３２を利用するユーザの在席情報の信頼度として、ユーザが携帯内線電話３２を携帯している確率（携帯率）を算出する装置である。図２には、在席信頼度生成サーバ１０のハードウェア構成が示されている。図２に示すように、在席信頼度生成サーバ１０は、ＣＰＵ９０、ＲＯＭ９２、ＲＡＭ９４、記憶部（ここではＨＤＤ（Hard Disk Drive））９６、入出力部９７、及び可搬型記憶媒体用ドライブ９９等を備えており、在席信頼度生成サーバ１０の構成各部は、バス９８に接続されている。在席信頼度生成サーバ１０では、ＲＯＭ９２あるいはＨＤＤ９６に格納されているプログラム（在席信頼度生成プログラム）、或いは可搬型記憶媒体用ドライブ９９が可搬型記憶媒体９１から読み取ったプログラム（在席信頼度生成プログラム）をＣＰＵ９０が実行することにより、図３の各部の機能が実現される。
【００１８】
図３は、在席信頼度生成サーバ１０の機能ブロック図である。図３に示すように、在席信頼度生成サーバ１０では、図２のＣＰＵ９０が在席信頼度生成プログラムを実行することで、取得部１４及び処理部１２として機能する。なお、図３では、図２のＨＤＤ９６により実現される、携帯率管理表ＤＢ１６、及び電番／コンセント対応表ＤＢ１８も図示している。
【００１９】
取得部１４は、携帯内線電話３２における呼び出し開始後の通話開始履歴（通話が開始されたか否かの情報や、通話開始までの呼数（コール数）の情報）を取得する。また、取得部１４は、携帯内線電話３２の充電状態を管理する通電状態管理装置４０から、呼び出し時における携帯内線電話３２の充電状態を取得する。
【００２０】
処理部１２は、取得部１４が取得した呼び出し時における携帯内線電話３２の充電状態と、取得部１４が取得した携帯内線電話３２の呼び出し開始後の通話開始履歴と、に基づいてユーザの携帯内線電話３２の携帯率を算出する。処理部１２により算出された携帯率は、プレゼンスサーバ２０に送信される。
【００２１】
携帯率管理表ＤＢ１６は、携帯率管理表を格納する。携帯率管理表は、図４（ａ）に示すように、ユーザのＩＤと、各ユーザによる携帯内線電話３２の携帯数と、各ユーザの携帯内線電話３２を呼び出した総呼数の項目とを関連付けている。
【００２２】
電番／コンセント対応表ＤＢ１８は、電番／コンセント対応表を格納する。電番／コンセント対応表は、図４（ｂ）に示すように、携帯内線電話３２の電番（内線の電話番号）と、当該携帯内線電話３２の充電器４４が接続されているコンセントのＩＤ（コンセントＩＤ）とを対応付ける。なお、対応付けは、システムの管理者等が予め行っておく必要がある。
【００２３】
図１に戻り、プレゼンスサーバ２０は、通電状態管理装置４０から取得した通電状態（携帯内線電話の充電状態）から推定されるユーザの在席情報を管理するとともに、在席信頼度生成サーバ１０で算出された各ユーザの携帯率を、各ユーザの在席情報の信頼度として管理する。そして、プレゼンスサーバ２０は、ユーザ端末５０からの要求に応じて、プレゼンスサーバ２０が管理する情報をユーザ端末５０の表示装置（ディスプレイ）に表示する。
【００２４】
内線電話サーバ３０は、複数の携帯内線電話３２の接続を管理する。ここで携帯内線電話３２は、例えば、ＰＨＳ（Personal Handy-phone System）であるものとする。通電状態管理装置４０は、複数の電源タップ４２の通電状態（消費電力）を管理する。ここで、電源タップ４２は、スマート電源タップであり、電源タップ４２が有する１又は複数のコンセントそれぞれにおける消費電力を、通電状態管理装置４０に送信する。なお、各電源タップ４２は、各ユーザのデスク上にあるものとし、各電源タップ４２が有する一のコンセントには、各ユーザの携帯内線電話３２を充電するための充電器４４が接続されているものとする。すなわち、携帯内線電話３２が充電器４４で充電されている場合には、携帯内線電話３２はデスク上に存在していることを意味する。また、各ユーザが携帯内線電話３２を常時携帯しているという前提の下では、携帯内線電話３２が充電器４４で充電されている場合には、ユーザが在席していることを意味していると言える。
【００２５】
複数のユーザ端末５０は、携帯電話やＰＣ（Personal Computer）などの端末で有り、表示部（ディスプレイ）や入力部（キーボード等）を有している。ユーザは、入力部を介して、プレゼンスサーバ２０に対して一部又は全部のユーザの在席情報の表示要求を出すことができる。また、表示部は、図５に示すように、プレゼンスサーバ２０で管理している在席情報を、携帯率とともに表示する。
【００２６】
次に、上記のように構成される在席管理システム１００の在席信頼度生成サーバ１０における処理について、図６のフローチャート、及び図６の処理の流れを模式的に示す図７に基づいて、詳細に説明する。
【００２７】
図６の処理では、まず、ステップＳ１０において、取得部１４が、着信通知があるまで待機する。この場合、例えば、図７の（１）のように、携帯内線電話３２（電番００１とする）から、別の携帯内線電話３２（電番００２とする）への着信要求が内線電話サーバ３０に届き、図７の（２）のように、内線電話サーバ３０から取得部１４に着信通知（電番００２を含む通知）が通知された時点で、ステップＳ１０の判断は肯定される。
【００２８】
次いで、ステップＳ１２では、取得部１４が、図７の（３）に示すように、着信通知に含まれる電番（００２）を、電番／コンセント対応表ＤＢ１８に格納されている電番／コンセント対応表（図４（ｂ）参照）において検索する。
【００２９】
次いで、ステップＳ１４では、取得部１４が、電番／コンセント対応表内に、電番（００２）に対応するコンセントがあるか否かを判断する。ここでの判断が否定された場合には、ステップＳ３２において、図７の（５）に示すように、内線電話サーバ３０に対して、着信要求に基づいた着信転送指示を出して、図６の全処理を終了する。一方、対応コンセントが存在しており、ステップＳ１４の判断が肯定された場合には、ステップＳ１６に移行する。
【００３０】
ステップＳ１６に移行した場合、取得部１４は、通電状態管理装置４０を介して、着信要求が出されている携帯内線電話（電番（００２）の携帯内線電話）の充電器４４の通電状態をチェックする。具体的には、取得部１４は、ステップＳ１２で検索されたコンセントＩＤを用いて、通電状態管理装置４０に、当該コンセント（及びコンセントに接続されている充電器４４）の通電状態を問い合わせ、取得する（図７の（４））参照。
【００３１】
次いで、ステップＳ１８では、図７の（５）に示すように、内線電話サーバ３０に対して、着信要求に基づいた着信転送指示を出す。すなわち、電番００２の携帯内線電話を呼び出すようにする。
【００３２】
次いで、ステップＳ２０では、取得部１４が、充電器４４の通電状態が通電中であるか否かを判断する。ここでの判断が肯定された場合、すなわち通電中でありデスク上で携帯内線電話３２（電番００２）の充電が行われている場合には、ステップＳ２２に移行する。
【００３３】
ステップＳ２２では、取得部１４が、通話開始したか否かを判断する。ここでの判断が否定された場合、すなわち、通話が開始される前に着信要求が解除（電番００１の携帯内線電話側から電番００２の携帯内線電話の呼び出しを中止）された場合には、ステップＳ２８に移行する。なお、ステップＳ２２の判断が否定された場合、処理部１２が、ユーザが携帯内線電話３２（電番００２）を携帯していない（携帯内線電話３２がデスク上に置いたままユーザが離席している）と推定したことを意味する。この場合、ステップＳ２８では、処理部１２が、携帯率管理表のうち携帯内線電話３２（電番００２）を保有するユーザの総呼数に１を加算する（図７の（６）参照）。なお、ステップＳ２６は経ないため、携帯率管理表の携帯数には１は加算されない。
【００３４】
一方、ステップＳ２２の判断が肯定された場合には、ステップＳ２４に移行する。ステップＳ２４では、取得部１４が、呼数（通話が開始されるまでのコール数）が閾値以下であるか否かを判断する。ここでの判断が否定された場合、すなわち、呼数が大きく、通話開始までに長時間を要した場合には、ステップＳ２８に移行する。なお、ステップＳ２４の判断が否定された場合とは、ユーザが携帯内線電話３２をデスク上に放置して離席しているため、ユーザのデスク近傍に位置する人がユーザの代わりに電話に出たと、処理部１２が推定したことを意味する。この場合、ステップＳ２８では、処理部１２が、携帯率管理表のうち携帯内線電話３２（電番００２）を保有するユーザの総呼数に１を加算する（図７の（６）参照）。なお、ステップＳ２６は経ないため、携帯率管理表の携帯数には１は加算されない。
【００３５】
これに対し、ステップＳ２４の判断が肯定された場合には、ステップＳ２６に移行する。なお、ステップＳ２４の判断が肯定された場合とは、ユーザが携帯内線電話３２を携帯しており、適正に通話が開始されたと、処理部１２が推定したことを意味する。この場合、ステップＳ２６において、処理部１２が、携帯率管理表のうち携帯内線電話３２（電番００２）を保有するユーザの携帯数に１を加算し、次のステップＳ２８において、処理部１２が、携帯率管理表の当該ユーザの総呼数に１を加算する（図７の（６）参照）。
【００３６】
ところで、ステップＳ２０の判断が否定された場合、すなわち、充電器４４が通電中で無かった場合には、ステップＳ３０に移行する。ステップＳ３０では、取得部１４が、ステップＳ２２と同様、通話を開始したか否かを判断する。ここでの判断が肯定された場合には、ステップＳ２６に移行する。なお、ステップＳ３０の判断が肯定された場合とは、ユーザが携帯内線電話３２を携帯しつつ離席していると、処理部１２が推定したことを意味する。この場合、処理部１２は、ステップＳ２６において、携帯率管理表のうち携帯内線電話３２（電番００２）を保有するユーザの携帯数に１を加算するとともに、ステップＳ２８において、携帯率管理表の当該ユーザの総呼数に１を加算する（図７の（６）参照）。
【００３７】
一方、ステップＳ３０の判断が否定された場合には、ステップＳ２８に移行する。なお、ステップＳ３０の判断が否定された場合とは、例えば、ユーザが、デスク上の充電器４４以外の位置に携帯内線電話３２を置いたまま離席しているなどと、処理部１２が推定したことを意味する。この場合、ステップＳ２８では、処理部１２が、携帯率管理表のうち携帯内線電話３２（電番００２）を保有するユーザの総呼数に１を加算する（図７の（６）参照）。なお、ステップＳ２６は経ないため、携帯率管理表の携帯数には１は加算されない。
【００３８】
以上のようにしてステップＳ２８を経た後は、次のステップＳ２９において、処理部１２が、携帯率を算出し、算出した携帯率をプレゼンスサーバ２０に対して送信する（図７の（７）参照）。ここで、携帯率は、携帯率管理表の各ユーザの携帯数を、（携帯率＝携帯数／総呼数×１００）から求めることができる。例えば、図４（ａ）では、ユーザＩＤ＝Ａのユーザの携帯率は、１９／２０×１００＝９５（％）となり、ユーザＩＤ＝Ｂのユーザの携帯率は、１８／２３×１００≒７８（％）となり、ユーザＩＤ＝Ｃのユーザの携帯率は、１／４０×１００≒３（％）となる。
【００３９】
なお、プレゼンスサーバ２０では、ステップＳ２９で処理部１２から送信されてきた携帯率をユーザごとに管理する。また、プレゼンスサーバ２０は、前述のように、通電状態管理装置４０から取得した通電状態に基づいて、ユーザの在席情報を推定し、管理する。この場合、プレゼンスサーバ２０は、ユーザの在席情報を、ユーザが保有する携帯内線電話３２が充電中であれば「在席」、非充電中であれば「離席」と推定する。ユーザ端末５０からの表示要求があった場合、プレゼンスサーバ２０は、図５に示すような画面を、ユーザ端末５０の表示部に表示する。
【００４０】
ユーザは、図５の画面を見て、携帯率が高いユーザの在席情報のみを信用するなど、携帯率を用いた在席情報の取捨選択を行うことができる。
【００４１】
以上、詳細に説明したように、本実施形態の在席信頼度生成サーバ１０によると、ユーザのデスクに設けられた、ユーザが保有する携帯内線電話３２の充電に用いる充電器４４の通電状態からユーザの在席情報を推定する場合に、取得部１４が、携帯内線電話３２における呼び出し開始後の通話開始履歴（通話が開始されたか否かの情報や、通話開始までの呼数（コール数））を取得し、処理部１２が、携帯内線電話３２の呼び出し開始後の通話開始履歴に基づいて算出されるユーザの携帯内線電話３２の携帯率を求め、これをユーザの在席情報の信頼度とする。このように、本実施形態では、在席情報の信頼度として、携帯内線電話３２の携帯率を用いることで、在席情報の信頼度として実情に合った適切な値を生成することができる。
【００４２】
また、本実施形態の在席信頼度生成サーバ１０によると、処理部１２は、携帯内線電話３２の呼び出し開始後に通話が開始された場合にユーザが携帯内線電話３２を携帯していると推定し、携帯内線電話３２の呼び出し開始後に通話が開始されなかった場合にユーザが携帯内線電話を携帯していないと推定して、ユーザの携帯内線電話３２の携帯率を算出する。これにより、携帯内線電話３２を利用するユーザの携帯率を、実情を考慮して適切に算出することができる。
【００４３】
また、本実施形態の在席信頼度生成サーバ１０によると、取得部１４は、ユーザのデスクに設けられた携帯内線電話３２用の充電器４４の通電状態を取得し、処理部１２は、呼び出し時における充電器４４の通電状態が通電中であり、かつ通話が開始されるまでの呼数が所定の閾値よりも多かった場合には、ユーザが携帯内線電話３２を携帯していないと推定して携帯率を算出する。この場合、デスクに携帯内線電話３２が置かれているにもかかわらずユーザが離席しており、かつ呼び出しに気づいたユーザの近傍の人がユーザの代わりに電話に出たような場合を、ユーザが携帯内線電話３２を携帯していない状態と推定するので、適切に携帯率を算出することができる。なお、上記においては、処理部１２が、呼数に基づく判断を行う場合について説明したが、これに限らず、通話が開始されるまでの呼び出し時間に基づく判断を行うこととしてもよい。なお、呼数に基づく判断も、間接的には通話が開始されるまでの呼び出し時間に基づく判断であるともいえる。
【００４４】
また、本実施形態の在席管理システム１００では、上述した在席信頼度生成サーバ１０と、ユーザのデスクに設けられた携帯内線電話３２用の充電器４４の通電状態を管理する通電状態管理装置４０と、在席信頼度生成サーバ１０で生成されるユーザの在席情報の信頼度と、通電状態管理装置４０で管理されている充電器４４の通電状態から推定される前記ユーザの在席情報と、を管理するプレゼンスサーバ２０とを備える。したがって、本実施形態では、在席情報とともに、在席情報の信頼度として携帯率を管理することで、在席情報の有効利用を図ることができる。例えば、在席情報を利用するユーザは、在席情報とともに信頼度を参照することで、在席情報を利用するか否かの取捨選択を行うことができる。
【００４５】
また、本実施形態の在席管理システム１００では、通電状態管理装置４０は、充電器４４の通電状態を、予め定められた電源タップ４２の通電状態から取得して管理するので、簡易に充電器４４の通電状態を取得することができる。
【００４６】
また、本実施形態の在席管理システム１００では、プレゼンスサーバ２０が、ユーザ端末５０の表示部に、ユーザの在席情報を表示するとともに、当該ユーザの在席情報の信頼度を表示する。したがって、これらの表示を見た人は、ユーザの在席情報とその信頼度から、ユーザが在席しているか否か、あるいは不明であるかを総合的に判断することができる。すなわち、信頼度の低い人の在席情報を利用せずに、信頼度の高い人の在席情報のみを利用するようになる。また、信頼度が数値となって現れるため、携帯内線電話３２を保有するユーザに対して、携帯内線電話３２の携帯を間接的に促すことができる。
【００４７】
（変形例）
なお、上記実施形態では、通電状態管理装置４０は、電源タップ４２の通電状態から取得する場合について説明したが、これに限られるものではない。通電状態管理装置４０は、充電器４４の通電状態を、携帯内線電話３２から取得することとしてもよい。以下、本変形例について、具体的に説明する。
【００４８】
図８には、本変形例における上記実施形態の図７に対応する図が示されている。図８に示すように、本変形例では、在席信頼度生成サーバ１０の電番／コンセント対応表ＤＢ１８と、電源タップ４２とが省略され、通電状態管理装置４０と、携帯内線電話３２とが通信可能となっている。通電状態管理装置４０は、図９に示すような充電状態管理表を有する。図９の充電状態管理表は、各携帯内線電話３２の電話番号（電番）と、その充電状態（充電中又は非充電中）と、を関連付けた表である。
【００４９】
図１０には、通電状態管理装置４０が図９の充電状態管理表を作成・更新する際に、携帯内線電話３２（携帯内線電話３２の処理装置）が行う処理（図８の（３）の処理）がフローチャートにて示されている。図１０の処理では、まず、ステップＳ４０において、携帯内線電話３２の処理装置が、充電中であるか否かを判断する。ここでの判断が肯定されると、ステップＳ４２に移行し、処理装置は、通電状態管理装置４０に対して「充電中」であることを、パケット通信等を利用して通知する。なお、通電状態管理装置４０は、当該通知を受けて、図９の充電状態管理表に通知内容を追加、又は通知内容で図９の充電状態管理表の充電状態の欄を更新する。次いで、ステップＳ４４では、処理装置が、非充電中となるまで待機する。そして、非充電中となった場合には、ステップＳ４４の判断が肯定されて、ステップＳ４０に戻る。
【００５０】
一方、ステップＳ４０の判断が否定された場合には、処理装置は、ステップＳ４８に移行し、通電状態管理装置４０に対して「非充電中」であることを、パケット通信等を利用して通知する。なお、通電状態管理装置４０は、当該通知を受けて、図９の充電状態管理表に通知内容を追加、又は通知内容で図９の充電状態管理表の充電状態の欄を更新する。次いで、ステップＳ５０では、処理装置は、充電中となるまで待機する。そして、ステップＳ５０の判断が肯定された場合には、ステップＳ４２に移行する。
【００５１】
その後、処理装置では、上述した処理が繰り返し行われる。これにより、通電状態管理装置４０は、随時（充電状態が変化するたびに）、充電状態管理表を更新することが可能となる。
【００５２】
図１１には、本変形例における在席信頼度生成サーバ１０の処理がフローチャートにて示されている。図１１の処理では、図６のフローチャートと比較すると分かるように、ステップＳ１２、Ｓ１４、Ｓ３４の処理が省略されている他は、同様の処理が行われる。より詳細には、図８と上記実施形態の図７とを比較すると分かるように、各図で示した（１）、（２）、（４）〜（７）の処理は共通しているが、（３）の処理（充電状態の取得処理）のみが異なっている。
【００５３】
なお、上記実施形態及び変形例の処理を、適宜切り替えることも可能である。例えば、携帯内線電話３２が満充電の状態に近づくと、携帯内線電話３２及び充電器４４に電流が流れなくなる場合がある。したがって、通電状態管理装置４０は、満充電に近づいたことを、電源タップ４２の通電状態に基づいて判断できた場合に、その判断のタイミングで、上記実施形態の処理から上記変形例の処理に切り替えるようにしてもよい。
【００５４】
なお、上記実施形態では、処理部１２が、呼び出し時における携帯内線電話３２の充電状態と、携帯内線電話３２の呼び出し開始後の通話開始履歴と、に基づいてユーザの携帯内線電話３２の携帯率を算出することとした。しかしながら、これに限られるものではなく、処理部１２は、携帯内線電話３２の呼び出し開始後の通話開始履歴のみに基づいてユーザの携帯内線電話３２の携帯率を算出してもよい。すなわち、例えば、携帯内線電話３２で所定呼数以内に通話が開始されたか否かに基づいて、携帯率を算出することとしてもよい。
【００５５】
なお、上記実施形態では、ユーザの在席情報の信頼度（携帯率）を、在席情報とともにユーザ端末の表示装置上に表示する場合について説明したが、これに限られるものではない。例えば、ユーザが離席したタイミングで、デスクの電力（デスクライトなど）を切断するような処理を行う場合において、在席情報の信頼度を利用することとしてもよい。例えば、在席情報の信頼度が高い（例えば９５％以上）ユーザのみ、デスクの電力を切断するようにしてもよい。このようにすることで、効率的に、省エネルギー化を図ることが可能となる。
【００５６】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。
【００５７】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００５８】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００５９】
上述した実施形態は本発明の好適な実施の例である。但し、これに限定されるものではなく、本発明の要旨を逸脱しない範囲内において種々変形実施可能である。
【００６０】
なお、以上の説明に関して更に以下の付記を開示する。
（付記１）  ユーザが保有する携帯型の内線通話可能な電話機の充電に用いる充電器の通電状態から推定される、前記ユーザの在席情報の信頼度を生成する在席信頼度生成装置であって、前記電話機における呼び出し開始後の通話開始履歴を取得する取得部と、前記電話機の前記呼び出し開始後の通話開始履歴に基づいて前記ユーザの前記電話機の携帯率を算出し、当該携帯率を前記ユーザの在席情報の信頼度とする処理部と、を備える在席信頼度生成装置。
（付記２）  前記処理部は、前記電話機において呼び出し開始後に通話が開始された場合、前記ユーザが前記電話機を携帯していると推定し、前記電話機において呼び出し開始後に通話が開始されなかった場合、前記ユーザが前記電話機を携帯していないと推定して、前記ユーザの前記電話機の携帯率を算出することを特徴とする付記１に記載の在席信頼度生成装置。
（付記３）  前記取得部は、前記充電器の通電状態を更に取得し、前記処理部は、前記呼び出し時における前記充電器の通電状態が通電中であり、かつ前記呼び出し開始後所定時間経過した後に通話が開始された場合には、前記ユーザが前記電話機を携帯していないと推定して、前記ユーザの前記電話機の携帯率を算出することを特徴とする付記２に記載の在席信頼度生成装置。
（付記４）  付記１〜３のいずれかに記載の在席信頼度生成装置と、ユーザが使用する席に設けられた電話機用の充電器の通電状態を管理する通電状態管理装置と、前記在席信頼度生成装置で生成される前記ユーザの在席情報の信頼度と、前記通電状態管理装置で管理されている前記充電器の通電状態から推定される前記ユーザの在席情報と、を管理するユーザ情報管理装置と、を備える在席管理システム。
（付記５）  前記通電状態管理装置は、前記充電器の通電状態を、予め定められた電源タップの通電状態から取得して管理することを特徴とする付記４に記載の在席管理システム。
（付記６）  前記通電状態管理装置は、前記充電器の通電状態を、前記電話機から取得して管理することを特徴とする付記４に記載の在席管理システム。
（付記７）  前記ユーザの在席情報を表示するとともに、当該ユーザの在席情報の信頼度を表示する表示装置を更に備える請求項４〜６のいずれか一項に記載の在席管理システム。
（付記８）  ユーザが保有する携帯型の内線通話可能な電話機の充電に用いる充電器の通電状態から推定される、前記ユーザの在席情報の信頼度を、コンピュータに生成させる在席信頼度生成プログラムであって、前記電話機における呼び出し開始後の通話開始履歴を取得し、前記電話機の前記呼び出し開始後の通話開始履歴に基づいて前記ユーザの前記電話機の携帯率を算出し、当該携帯率を前記ユーザの在席情報の信頼度とする、処理を、コンピュータに実行させる在席信頼度生成プログラム。
（付記９）  前記携帯率を前記ユーザの在席情報の信頼度とする処理では、コンピュータに、前記電話機において呼び出し開始後に通話が開始された場合、前記ユーザが前記電話機を携帯していると推定させ、前記電話機において呼び出し開始後に通話が開始されなかった場合、前記ユーザが前記電話機を携帯していないと推定させて、前記ユーザの前記電話機の携帯率を算出させることを特徴とする付記８に記載の在席信頼度生成プログラム。
（付記１０）  前記取得する処理では、コンピュータに、前記充電器の通電状態を更に取得させ、前記携帯率を前記ユーザの在席情報の信頼度とする処理では、前記呼び出し時における前記充電器の通電状態が通電中であり、かつ前記呼び出し開始後所定時間経過した後に通話が開始された場合には、前記ユーザが前記電話機を携帯していないと推定させて、前記ユーザの前記電話機の携帯率を算出させることを特徴とする付記９に記載の在席信頼度生成装置。
【符号の説明】
【００６１】
１０  在席信頼度生成サーバ（在席信頼度生成装置）
１２  処理部
１４  取得部
２０  プレゼンスサーバ（ユーザ情報管理装置）
３２  携帯内線電話（電話機）
４０  通電状態管理装置
４４  充電器
５０  ユーザ端末（表示装置）
１００  在席管理システム
【図１】
0005640784.tif 000002
【図２】
0005640784.tif 000003
【図３】
0005640784.tif 000004
【図４】
0005640784.tif 000005
【図５】
0005640784.tif 000006
【図６】
0005640784.tif 000007
【図７】
0005640784.tif 000008
【図８】
0005640784.tif 000009
【図９】
0005640784.tif 000010
【図１０】
0005640784.tif 000011
【図１１】
0005640784.tif 000012